(57)【特許請求の範囲】
【請求項１】
複数の画素（２）を含むキャリア（５０）を備え、各画素は少なくとも１つの第１および１つの第２の発光チップで形成されており、各発光チップ（３、４、５）は、第１および第２の電気端子（１１、１２、１３、１４、１５、１６）を含んでおり、
前記画素（２）の前記第１の発光チップ（３）は、前記第１の電気端子（１１）によって第１の電力線（２１）に接続されており、
前記画素（２）の前記第１の発光チップは、前記第２の電気端子（１３）によって第３の電力線（３１）に接続されており、
前記画素（２）の前記第２の発光チップ（４）は、前記第１の電気端子（１２）によって第２の電力線（２２）に接続されており、
前記画素（２）の前記第２の発光チップ（４）は、前記第２の電気端子（１４）によって第４の電力線（３２）に接続されており、
前記第１および／または第２の電力線（２１、２２）は、表面メタライゼーションとして具現化されており、前記表面メタライゼーションはコンタクト領域（８１、８２、８３）を含み、前記発光チップ（３、４、５）は前記コンタクト領域（８１、８２、８３）に配置されており、少なくとも前記第１と第２の電力線（２１、２２）の前記コンタクト領域（８１、８２、８３）の間において、絶縁層（９９）がキャリア（５０）に設けられており、前記絶縁層（９９）は、前記コンタクト領域（８１、８２、８３）上に開口（１３０）を有しており、前記発光チップ（３、４、５）は前記開口（１３０）に配置されている、
ビデオウォールのためのモジュール（１）。
【請求項２】
前記画素（２）はそれぞれ第３の発光チップ（５）を含んでおり、前記第３の発光チップ（５）は、第１および第２の電気端子（１５、１６）を含んでおり、前記第３の発光チップ（５）は、前記第１の電気端子（１５）によって前記第１の電力線に接続されており、前記第３の発光チップ（５）は、前記第２の電気端子（１６）によって第５の電力線（３３）に接続されている、
請求項１に記載のモジュール。
【請求項３】
前記画素（２）はそれぞれ第３の発光チップ（５）を含んでおり、前記第３の発光チップ（５）は、第１および第２の電気端子（１５、１６）を含んでおり、前記第３の発光チップ（５）は、前記第１の電気端子（１５）によって第６の電力線（３４）に接続されており、前記第３の発光チップ（５）は、前記第２の電気端子（１６）によって第５の電力線（３３）に接続されている、
請求項１に記載のモジュール。
【請求項４】
前記第１の電力線（２１）および前記第２の電力線（２２）は、前記第１および第２の発光チップ（３、４）の前記第１の電気端子（１１、１２）が形成された第１の面に通されており、前記第３、第４、および第５の電力線（３１、３２、３３）は、前記第１、第２および第３の発光チップ（３、４、５）の前記第２の電気端子（１３、１４、１６）が形成された第２の面に通されている、
請求項２または３に記載のモジュール。
【請求項５】
前記第１、第２および第３の発光チップ（３、４、５）は、前記絶縁層（９９）の少なくとも１つの側面に対して横方向に距離をおいて配置されている、
請求項１から４のいずれか１項に記載のモジュール。
【請求項６】
前記第１の発光チップ（３）の１つの電気端子は、ワイヤボンドを介して前記第１または前記第３の電力線（２１、３１）に接続されている、
請求項１から４のいずれか１項に記載のモジュール。
【請求項７】
前記発光チップ（３、４、５）は、前記発光チップ（３、４、５）がその全面で前記コンタクト領域（８１、８２、８３）にもたれかからないように、前記コンタクト領域（８１、８２、８３）に面する側に段差構造を有している、
請求項１から６のいずれか１項に記載のモジュール。
【請求項８】
前記画素（２）の前記発光チップ（３、４、５）の間において、前記発光チップ（３、４、５）相互の電気絶縁を向上するために、絶縁バリア（９２〜９９）が少なくとも部分的に前記キャリア（５０）に設けられている、
請求項１から７のいずれか１項に記載のモジュール。
【請求項９】
導電コンタクトフィルム（１００）が、前記コンタクト領域（８１、８２、８３）と割り当てられた前記発光チップ（３、４、５）との間に配置されており、前記導電コンタクトフィルム（１００）は、前記発光チップを前記コンタクト領域（８１、８２、８３）に電気接続している、
請求項１から８のいずれか１項に記載のモジュール。
【請求項１０】
前記発光チップ（３、４、５）は、はんだ接合部、特にＡｕＳｎはんだ接合部によって前記コンタクト領域（８１、８２、８３）にはんだ付けされており、前記はんだ接合部の固相線温度は２６０℃を超える、
請求項７から９のいずれか１項に記載のモジュール。
【請求項１１】
前記発光チップ（３、４、５）は、摩擦圧接接合によって前記コンタクト領域（８１、８２、８３）に接合されている、および／または、前記発光チップ（３、４、５）は、はんだ付けによって前記コンタクト領域（８１、８２、８３）に接合されている、
請求項７または８に記載のモジュール。
【請求項１２】
絶縁ウェブ（９２〜９８）が、前記第１と第２の電力線（２１、２２）のコンタクト領域（８１、８２、８３）の間に設けられている、
請求項７から１１のいずれか１項に記載のモジュール。
【請求項１３】
前記発光チップ（３、４、５）は、電気絶縁性接着剤によって機械的に前記コンタクト領域（８１、８２、８３）に固定されており、前記発光チップ（３、４、５）の金属製コンタクトの先端は前記接着剤を貫通して前記コンタクト領域（８１、８２、８３）と電気コンタクトしている、
請求項７から９のいずれか１項に記載のモジュール。
【請求項１４】
前記発光チップ（３、４、５）の少なくとも２つが前記絶縁層（９９）の開口（１３０）に配置されている、
請求項１から１３のいずれか１項に記載のモジュール。
【発明の詳細な説明】
【技術分野】
【０００１】
本発明は、請求項１に係るビデオウォールのためのモジュールに関する。
【背景技術】
【０００２】
従来技術において複数の発光チップが配置されたビデオウォールのためのモジュールが開示されている。そこでは、個々の発光チップをマトリクス回路によって駆動することが知られている。この目的で、電力線が列および行として配置され、各発光チップは列の電力線および行の電力線と接続されている。
【発明の概要】
【発明が解決しようとする課題】
【０００３】
本発明の目的は、改善されたビデオウォールのためのモジュールを提供することである。
【課題を解決するための手段】
【０００４】
本発明の目的は、特許請求項１に係るモジュールによって達成される。モジュールのさらなる実施形態は従属請求項で特定される。
【０００５】
ここで説明するモジュールの利点の１つは、２つの発光チップを含む画素が設けられており、この２つの発光チップには、電圧供給のための４つの異なる電力線が設けられている。このように、画素の２つの発光チップに異なる電圧が供給されうる。この結果、発光チップがそれぞれ光を発するために必要な電圧が、発光チップに供給されうる。
【０００６】
さらなる一実施形態において、画素は３つの発光チップを含んでおり、画素の３つの発光チップに３つの異なる電圧が供給される。したがって、画素の２つを超える発光チップにも、それぞれ必要な電圧が供給されうる。
【０００７】
さらなる一実施形態において、画素は３つの発光チップを含んでおり、２つの発光チップには同じ電圧が供給され、第３の発光チップには異なる電圧が供給される。
【０００８】
選択する実施形態によっては、発光チップの正電源のための電力線が第１の面に通されうる一方、発光チップの負電源のための電力線は第２の面に通されている。電力線はキャリア、特に回路基板の異なる面に配置されうる。
【０００９】
さらなる一実施形態において、異なる面、およびそこに含まれる電力線がメッキ貫通孔（ｐｌａｔｅｄ−ｔｈｒｏｕｇｈ  ｈｏｌｅ）を介して共通の接続面に導かれている。このようにモジュールのコンパクトな構成が可能である。
【００１０】
さらなる一実施形態において、発光チップは列として配置されており、それぞれ、列の少なくとも２つの発光チップ、特に３つの発光チップが組み合わされて画素を形成する。この実施形態では、異なる正電圧を供給する第１および第２の電力線が列の反対側に配置されている。このように電力線の経路が短いコンパクトな構成が達成されうる。
【００１１】
さらなる一実施形態において、第１および第３の電力線が、表面メタライゼーションとして具現化されており、表面メタライゼーションは条片領域およびコンタクト領域を含んでおり、発光チップはコンタクト領域に配置されており、コンタクト領域は発光チップよりも小さい領域である。このように、異なる発光チップのコンタクト領域の間に十分な側方間隔が設けられている。
【００１２】
さらなる一実施形態において、発光チップは、コンタクト領域に割り当てられる側に側方段差構造を有している。このように、コンタクト領域に割り当てられる発光チップの領域が減らされる。これによっても、隣接するコンタクト領域の間、または隣接する発光チップのコンタクト領域の間の側方間隔を広げることが可能である。
【００１３】
さらなる一実施形態において、隣接する発光チップのコンタクト領域の間に電気絶縁材が設けられている。この結果、隣接するコンタクト領域の電気絶縁が向上される。少なくとも第１および第２の電力線の２つのコンタクト領域の間において、絶縁層がキャリアに設けられており、絶縁層はコンタクト領域上に開口を有しており、発光チップは開口に配置されている。選択する実施形態によっては、モジュールの上面全体に絶縁層が設けられうる。
【００１４】
さらなる一実施形態において、発光チップは、導電コンタクトフィルムによってコンタクト領域に接続されている。この結果、導電領域の正確な境界画定が達成されうる。このため、隣接するコンタクト領域間での所望の側方間隔、したがって隣接するコンタクト領域間での所望の電気絶縁が確実に達成されうる。
【００１５】
選択する実施形態によっては、発光チップは、はんだ接合部、特にＡｕＳｎはんだ接合部によってコンタクト領域に接合されうる。はんだ接合部の固相線温度は２６０℃を超える。このように、その後のモジュールの回路基板へのＳＭＴ実装時に、この時モジュールが２６０℃まで加熱される可能性があるが、発光チップがキャリアまたはコンタクト領域から分離しないことが達成される。さらに、発光チップは、摩擦圧接接合によって、および／または金、錫、および銀を含有するはんだ材料を用いたはんだ付けによってコンタクト領域に接合されうる。
【００１６】
一実施形態において、絶縁ウェブ（ｉｎｓｕｌａｔｉｏｎ  ｗｅｂ）が、第１と第２の電力線のコンタクト領域の間に設けられている。これによって、第１と第２の電力線の間の電気絶縁が向上されうる。
【００１７】
一実施形態において、発光チップは、導電接着剤フィルムによって電力線のコンタクト領域に固定されている。この結果、ほとんど空間をとらずに、しかも正確に画定される。
【００１８】
一実施形態において、発光チップは、発光チップの下面の領域がより小さく形成されるように、電力線のコンタクト領域に面する下面に段差構造を有している。この結果、側方において必要とされる空間が減らされる。
【００１９】
一実施形態において、発光チップの少なくとも１つは、電気絶縁性接着剤によって機械的にコンタクト領域に固定されており、発光チップの金属製コンタクトの先端は、接着剤を貫通してコンタクト領域と電気コンタクトしている。
【００２０】
一実施形態において、絶縁層の開口に発光チップが少なくとも２つ配置されている。この結果、開口における発光チップのより接近した配置が可能となる。２つの発光チップは、同じ波長または異なる波長の光を出射するように構成されうる。例えば、１つの発光チップが緑色光を出射し、他方の発光チップが青色光を出射しうる。また、選択する実施形態によっては、開口に２つを超える発光チップ、特に３つ以上の発光チップを配置することも可能である。例えば、１つの発光チップが緑色光を出射し、第２の発光チップが青色光を出射し、第３の発光チップが赤色光を出射しうる。
【００２１】
本発明の上述した特性、特徴、および利点と、これらを達成する方法は、それぞれ図面を参照しながら以下にさらに詳しく説明する例示的な実施形態に関連して、さらに明確かつ容易に理解されるであろう。
【図面の簡単な説明】
【００２２】
【図１】図１は、ビデオウォールのためのモジュールの等価回路図からの抜粋を示す。
【図２】図２は、ビデオウォールのためのモジュールのさらなる実施形態の等価回路図からの抜粋の概略図である。
【図３】図３は、ビデオウォールのためのモジュールのさらなる実施形態の等価回路図からの抜粋を示す。
【図４】図４は、モジュールの個々の発光チップを駆動する制御回路の概略図である。
【図５】図５はキャリアの導体路構造の概略図である。
【図６】図６は、モジュールのさらなる実施形態の導体路面からの抜粋の概略図である。
【図７】図７は、画素の概略的な側面図である。
【図８】図８は、モジュールの画素のさらなる実施形態の概略図である。
【図９】図９は、画素の第３の実施形態の概略図である。
【図１０】図１０は、モジュールの画素の第４の実施形態の概略図である。
【図１１】図１１は、モジュールの導体路構造の概略図である。
【図１２】図１２は、図１１からの拡大した抜粋を示す。
【図１３】図１３は、モジュールのさらなる実施形態の導体路構造からの部分的な抜粋の概略図である。
【図１４】図１４は、絶縁層を含むモジュールからの部分的な抜粋の概略図である。
【図１５】図１５は、絶縁層を含むさらなるモジュールからの部分的な抜粋の概略図である。
【図１６】図１６は、絶縁層を含むさらなるモジュールからの部分的な抜粋の概略図である。
【図１７】図１７は、絶縁層を含むさらなるモジュールからの部分的な抜粋の概略図である。
【発明を実施するための形態】
【００２３】
図１は、ビデオウォールのための発光チップ３および４を含むモジュール１の等価回路図を概略図で示す。モジュール１は複数の画素２を含む。各画素２は、少なくとも１つの発光チップ、特に２つ以上の発光チップ３および４を含んでいる。図示の例示的な実施形態では、各画素２は、第１および第２の発光チップ３および４を含んでいる。画素２の第１の発光チップ３は、第１のアノード端子１１によって第１の電力線２１に接続されている。画素２の第２の発光チップ４は、第２のアノード端子１２によって第２の電力線２２に接続されている。第１の発光チップ３の第１のカソード端子１３は、第３の電力線３１に接続されている。画素２の第２の発光チップ４は、第２のカソード端子１４によって第４の電力線３２に接続されている。
【００２４】
第３および第４の電力線３１および３２は、接地電位に接続されている。第１および第２の電力線２１および２２は、アースに対して異なる大きさの正電位に接続されている。例えば、第１の電力線２１は２．６Ｖに接続され、第２の電力線２１は３．７Ｖに接続されうる。したがって、赤色光を発する第１の発光チップ３には、例えば必要とされる電圧２．６Ｖが供給される。青色光または緑色光を発する第２の発光チップ４には、例えば電圧３．７Ｖが供給される。モジュール１は、同一に構成され、その発光チップ３および４が対応する電力線に接続されている複数の画素２を含んでいる。画素は、列および行として配置されうる。また、第１および第２の電力線は、列として配置され、第３および第４の電力線は行として配置される。
【００２５】
図２は、画素２が第１の発光チップ３、第２の発光チップ４、および第３の発光チップ５を含む、さらなる実施形態を示している。画素２の第１の発光チップ３は、図１のように、第１の電力線２１に接続されている。画素２の第２の発光チップ４は、図１のように第２の電力線２２に接続されている。第３の発光チップ５は、第３のアノード端子１５によって第２の電力線２２に接続されている。第３の発光チップ５はさらに、第３のカソード端子１６によって第５の電力線３３に接続されている。この結果、第２および第３の発光チップ４および５には、同じ電圧、特に３Ｖ以上３．７Ｖ以下の範囲の電圧が供給される。第３および第４の電力線３１および３２と同様に、第５の電力線３３も接地されている。モジュールの全ての画素２はこのように相互接続されている。この例示的な実施形態において、第２の発光チップ４は、例えば緑色光を発する発光ダイオードである。第３の発光チップ５は、例えば青色光を発する発光ダイオードである。画素は、列および行として配置されうる。また、第１および第２の電力線は列として配置され、第３、第４、および第５の電力線は行として配置される。
【００２６】
選択する実施形態によっては、モジュール１は、図３の実施形態にしたがって構成される複数の画素２も含んでいる。この実施形態では、画素は、第１、第２、および第３の発光チップ３、４、および５を含んでおり、アノード端子１１、１２、および１５は異なる電力線、つまり第１、第２、および第６の電力線２１、２２、および３４に接続されている。このため、この実施形態では、画素２の各発光チップ３、４、および５には異なる電圧が供給されうる。３つの発光チップ３、４、および５のカソード端子１３、１４、および１６は、異なる電力線３１、３２、および３３に接続されており、電力線３１、３２、および３３は接地されている。
【００２７】
選択する実施形態によっては、画素の３つを超える発光チップに、アノード端子によって異なる電力線を用いて、異なる供給電圧を供給することも可能である。
【００２８】
選択する実施形態によっては、異なる数の発光チップを含む様々な画素が１つのモジュールにおいて組み合わされうる。さらに、１つの画素の発光チップのグループ毎に同一の電圧が供給されうる。
【００２９】
図４は、図２にしたがって構築されたモジュール１の個々の画素を駆動する回路構成を概略図で示す。モジュール１は、画素２の第３、第４、および第５の全ての電力線３１、３２、および３３に接地電位を供給するドライバ回路４０に接続されている。ここで、個々の電力線を接地する、または接地を解除するスイッチが設けられうる。
【００３０】
また、第１の電力線２１に接続され、画素２の第１の電力線２１に第１の正電圧、例えば２．５Ｖを供給する、第１のマルチプレクサ４１が設けられている。さらに、画素の第２の電力線２２に接続され、第２の電力線２２に第２の正電圧、例えば３．６Ｖを供給する、第２のマルチプレクサ４２が設けられている。第１および第２のマルチプレクサ４１および４２、ならびにドライバ回路４０は、選択する駆動によってはモジュール１の個々の画素および個々の発光チップを駆動するように構成されている。
【００３１】
図５は、キャリア５０に載置された伝導面を概略図で示す。キャリア５０は、例えば基板として、または回路基板として形成されうる。発光チップ３、４、および５は、キャリア５０の第１、第２、および第３の列５１、５２、および５３に配置されている。列は相互に平行に配置されている。それぞれ、一列に配置された３つの発光チップ３、４、および５は、組み合わされて画素２を構成する。選択する実施形態によっては、異なる列の画素が組み合わされて１つの画素を構成することも可能である。さらに、各画素は、より多い、またはより少ない発光チップを含みうる。この実施形態では、各画素２は第１、第２、および第３の発光チップ３、４、および５を含んでいる。画素は、列に垂直な線状に配置されている。例えば、第１の発光チップ３は赤色光を出射し、第２の発光チップ４は緑色光を出射し、第３の発光チップ５は青色光を出射する。
【００３２】
図示の例では、発光チップ３、４、および５は垂直型発光チップとして構成されており、アノード端子が発光チップ３、４、および５の下面に形成され、カソード端子１３、１４、および１６が上面に形成されている。図示の実施形態では、第１の電力線２１は、それぞれ列５１、５２、および５３の左側に形成されている。第２の電力線２２は、それぞれ列の右側に配置されている。また、図示の実施形態では、メッキ貫通孔６１、６２、および６３が、第２の電力線２２と隣接する第１の電力線２１との間に設けられている。メッキ貫通孔は、キャリア５０のより深い面、またはキャリア５０の下面に導かれうる。第１および第２の電力線２１および２２は、金属製導体路として形成されている。図示の実施形態では、発光チップ３、４、および５は、対応する第１の電力線２１、または対応する第２の電力線２２に下面、つまりアノード端子によって接続されている。この目的で、導電層４６、特に導電接着剤層が設けられている。選択する実施形態によっては、アノード端子が発光チップ３、４、および５の上面に、カソード端子が下面にも配置されうる。
【００３３】
さらなる実施形態において、発光チップ３、４、および５のアノード端子および／またはカソード端子は、先端部を有する粗面、または平坦でない面を有する金属材料から形成されている。アノード端子を含む、および／またはカソード端子を含む発光チップ３、４、および５の下面は、導体路の対応するコンタクト領域８１、８２、および８３に、電気絶縁性接着剤層によって機械的に固定されている。アノード端子および／またはカソード端子の粗面または平坦でない面は、それぞれのコンタクト領域８１、８２、および８３に割り当てられており、アノード端子および／またはカソード端子の少なくとも個々の先端部、または表面の一部が電気絶縁性接着剤層を貫通して、割り当てられたコンタクト領域と電気コンタクトしている。
【００３４】
さらなる実施形態において、アノード端子およびカソード端子の両方が、発光チップ３、４、および５の下面に配置されうる。この実施形態では、アノード端子のコンタクトおよびカソード端子のコンタクトの双方のために、対応するコンタクト領域がキャリアに設けられている。また、この実施形態では、発光チップのアノード端子は、第１のコンタクト領域に導電接続されており、発光チップのカソード端子は第２のコンタクト領域に導電接続されている。このような導電接続は、導電接着剤を介して、またははんだ材料を介して行われうる。さらに、このような導電接続は、電気絶縁性接着剤、および絶縁性接着剤を貫通して割り当てられたコンタクト領域にコンタクトする先端部を有する平坦でない面または粗面を含むアノード端子およびカソード端子を介しても行われうる。
【００３５】
図６は、電力線２１および２２、ならびに画素２の発光チップ３、４、および５の配置は図５と一致するが、発光チップ３、４、および５は水平型発光ダイオードとして構成されている、さらなる実施形態を示す。水平型発光ダイオードの場合、アノード端子１１、１２、および１５、ならびにカソード端子１３、１４、および１６の両者が、上面に形成されている。したがって、この実施形態では、アノード端子１１、１２、および１５も、接続線（ｌｉｎｅ  ｃｏｎｎｅｃｔｉｏｎｓ）７１、７２、および７３を介してそれぞれ第１または第２の電力線２１または２２に接続されなければならない。接続線は、例えばボンドワイヤとして形成されうる。例えば、サファイアを含むキャリアに配置された、ＡｌＧａＩｎＰを含む発光チップを形成することが可能である。また、導電基板を含む発光チップの場合、発光チップ３、４、および５の下面とその下に配置された電力線２１および２２との間に電気絶縁材を形成することも好都合でありうる。電気絶縁材は、例えば電気絶縁性接着剤層４５として形成されうる。接着剤層によって、発光チップ３、４、および５はキャリア５０に機械的に接合されうる。さらに、追加の電気接続線が、カソード端子１３、１４、および１６と、第３、第４、および第５の電力線との間に必要となる。第３、第４、および第５の電力線は第１および第２の電力線２１および２２とは異なる面に配置されているので、メッキ貫通孔６１、６２、および６３がこの目的で用いられうる。しかしながら、より明瞭にするため貫通孔は図６には図示していない。
【００３６】
図７は、第１の実施形態の画素を概略的な側面図で示し、第１の電力線２１の第１のコンタクト領域８１、第２の電力線２２の第２のコンタクト領域８２、および第２の電力線２２の第３のコンタクト領域８３が図示されている。図７では、発光チップ３、４、および５は垂直型発光ダイオードとして形成されており、アノード端子１１、１２、および１５は発光チップ３、４、および５の下面に設けられている。この結果、発光チップ３、４、および５のアノード端子１１、１２、および１５は、対応するコンタクト領域８１、８２、および８３に導電接続されている。この目的で、例えばはんだペーストを含むはんだパッドなどの導電層４６が、アノード端子を含む発光チップ３、４、および５の下面とコンタクト領域８１、８２、および８３の上面との間に設けられている。はんだペーストは、例えば打ち抜きまたは印刷で載置されうる。導電接続部を形成するために、導電接着剤、特にプリンタブル接着剤が発光チップのアノード端子とコンタクト領域との間に載置されうる。選択する実施形態によっては、コンタクト領域８１、８２、および８３は、少なくとも一方向または両方向において、発光チップ３、４、および５と同じサイズの領域、またはより小さい領域でありうる。
【００３７】
この結果、コンタクト領域８１、８２、および８３の間の比較的大きな側方距離が達成される。したがって、必要な空間が小さくなると共に、比較的良好な電気絶縁がもたらされうる。
【００３８】
さらなる実施形態では、コンタクト領域８１、８２、および８３は、少なくとも一方向または両方向において、発光チップ３、４、および５より大きな領域である。特に、２つ以上の発光チップにコンタクト領域が１つ設けられうる。
【００３９】
また、垂直型の発光チップは、カソード端子を下面に、アノード端子を上面にも含みうる。
【００４０】
図８は、画素のさらなる実施形態を概略的な側面図で示す。この実施形態では、発光チップ３、４、および５も垂直型発光ダイオードとして形成されており、この実施形態では、カソード端子１３、１４、および１６は下面に形成され、アノード端子は上面に形成されている。さらにこの実施形態では、発光チップ３、４、および５は、発光チップ３、４、および５がコンタクト領域８１、８２、および８３にもたれかかる領域が、コンタクト領域８１、８２、および８３の部分よりも小さくなるように、下面、つまりカソード端子１３、１４、および１６が形成される面に段差構造を有している。また、電気コンタクト材料は段差構造９１に取り込まれている。このことによっても、発光チップの実装時に、電気コンタクト材料が隣接するコンタクト領域まで側方に押し出されることが防止される。
【００４１】
また、この実施形態では、垂直型の発光チップは、カソード端子を下面に、アノード端子を上面に含みうる。
【００４２】
図９は、図７にしたがって形成された画素の一実施形態のさらなる概略図であるが、各絶縁ウェブ９２、９３、９４、および９５がコンタクト領域８１、８２、および８３の間に配置されている。絶縁ウェブは、例えばフォトリソグラフィでパターン化が可能なエポキシ（ＳＵ８）などの電気絶縁材料から形成されうる。側方における電気絶縁の向上が、絶縁ウェブの配置によって達成される。
【００４３】
図１０は、発光チップ３、４、および５が導電フィルム１００によってコンタクト領域８１、８２、および８３と電気コンタクトされている画素の一実施形態のさらなる概略図である。導電フィルムの使用によって、側方におけるコンタクト領域８１、８２、および８３の間での電気領域の境界が確実に画定される。
【００４４】
選択する実施形態によっては、絶縁性接着剤も、特に発光チップが水平型の発光ダイオードとして構成される場合に、発光チップの実装に使用されうる。しかしながら、この場合でも、電気コンタクトがそれぞれアノード端子またはカソード端子と、割り当てられたコンタクト領域との間で確実に生じるように考慮されなければならない。
【００４５】
また、選択する実施形態によっては、発光チップは、例えば加熱した装着ヘッドによって、予熱した電力線を備えるキャリア、電力線の対応するコンタクト領域に押圧され、はんだ金属を用いてはんだ付けされうる。
【００４６】
さらに、選択する実施形態によっては、コンタクト領域８１、８２、および８３と、発光チップ３、４、および５のアノード端子との間の電気コンタクトは、例えば発光チップ側の金表面およびコンタクト領域の金表面を用いた摩擦圧接接合によって達成されうる。
【００４７】
さらに、発光チップは、はんだ接合部、特にＡｕＳｎはんだ接合部によってコンタクト領域に接合されうる。はんだ接合部の固相線温度は２６０℃を超える。このように、はんだ接合部は２６０℃まで固体であり、液化しない。温度が２６０℃を超えたときだけ、はんだ接合部は軟化し、液化する。このため、その後のモジュールの回路基板へのＳＭＴ実装時に、この時モジュールが２６０℃まで加熱される可能性があるが、発光チップがキャリアまたはコンタクト領域から分離しないことが達成される。
【００４８】
図１１は、モジュール１からの抜粋を概略図で示し、複数の画素２がキャリア５０に配置されている。画素２は、破線で示される格子状に配置されている。各画素２は、第１および第２の電力線２１および２２を介して正電圧が供給される３つの発光チップ３、４、および５を含んでいる。発光チップは、垂直型の発光ダイオードとして構成されており、アノード端子が下面に配置され、カソード端子が上面に配置されている。アノード端子は電力線のコンタクト領域に接続されている。カソード端子の電気接続は、詳細に図示していない。第１および第２の電力線２１および２２は、互いに平行に配置されている。また、第１および第２の電力線２１および２２の組が複数、相互に並んで配置されている。第１のコンタクト領域８１が第１の電力線２１に配置され、第１の発光チップ３がそのコンタクト領域に配置されている。第２および第３のコンタクト領域８２および８３が、第２の電力線２２に配置されており、それぞれ第２および第３の発光チップ４および５が、第２および第３のコンタクト領域に配置されている。画素２は、第１、第２、および第３の発光チップ３、４、および５を含んでいる。画素２は、境界線によって正方形として概略的に示されている。選択する実施形態によっては、各画素２は、より多い、またはより少ない発光チップも含みうる。
【００４９】
再分配導体路（ｒｅｄｉｓｔｒｉｂｕｔｉｏｎ  ｃｏｎｄｕｃｔｏｒ  ｔｒａｃｋ）１１０が第１と第２の電力線２１と２２との間に設けられており、図示の例示的な実施形態では金属製の導体路として形成されている。再分配導体路１１０は、発光チップのカソード端子に接地電位を供給するために用いられる。個々の接続線は、明示していない。また、第１の電力線２１は、第１のメッキ貫通孔２５を有する。第１のメッキ貫通孔２５は、キャリア５０内で上向きにまたは下向きに、またはキャリア５０の下面でさらなる配線面へと導かれている。再分配導体路１１０は、さらなる配線面へと上向きまたは下向きのいずれかに導かれた第２のメッキ貫通孔２６を含んでいる。
【００５０】
図１２は、ビデオウォールのためのモジュール１のさらなる実施形態の画素２を示し、画素は実質的に図１１の画素２にしたがって構築されているが、この実施形態では、再分配導体路１１０が第１と第２の電力線２１と２２との間には配置されておらず、第１の電力線が、再分配導体路１１０と第２の電力線２２との間に配置されている。
【００５１】
図１３は、ビデオウォールのためのモジュール１の画素２のさらなる実施形態を示し、画素は実質的に図１１の画素２にしたがって形成されている。しかしながら、第５、第６、および第７の絶縁ウェブ９６、９７、および９８がさらに形成されている。第５の絶縁ウェブ９６は、再分配導体路１１０と第１のコンタクト領域８１との間に配置されている。ここで、第５の絶縁ウェブ９６は、第１のコンタクト領域８１の全長にわたって延在している。このように、再分配導体路１１０と第１のコンタクト領域８１と間の電気絶縁の向上が達成される。また、第６の絶縁ウェブ９７は、第１のコンタクト領域８１と第２のコンタクト領域８２との間に配置されている。このように、第１と第２のコンタクト領域８１と８２との間の電気絶縁の向上が達成される。さらに、第７の絶縁ウェブ９８は、画素２の端部に隣接するように形成されている。第７の絶縁ウェブ９８は、第２および第３のコンタクト領域８２および８３の部分にわたって延在している。同一に構成されたさらなる画素が、図示の画素に隣接するように設けられている。このように第７の絶縁ウェブ９８は、図示した画素の第２および第３のコンタクト領域８２および８３と、隣接する画素の再分配導体路１１０との間の電気絶縁を向上する。図１１から１３に示す発光チップ３、４、および５は、垂直型発光チップとして形成されており、アノード端子が下面に形成され、カソード端子が上面に形成されている。
【００５２】
図１４は、図１３と実質的に一致するさらなる実施形態を示すが、この実施形態では絶縁層９９が絶縁ウェブの代わりに設けられている。絶縁層９９は、キャリア５０、電力線２１および２２、再分配導体路１１０、および第２のメッキ貫通孔２６に配置されている。絶縁層９９は、コンタクト領域８１、８２、および８３上に開口１３０を有しており、発光チップ３、４、および５は開口に配置されている。さらに、絶縁層９９は、例えばアライメント構造１２０を含む。絶縁層は、コンタクト領域の部分にのみ開口を有して、またはモジュール全領域にわたって配置されうる。
【００５３】
図１５は、図１４にしたがったモジュールからの抜粋を示すが、この実施形態では第２および第３の発光チップ４および５は、絶縁層９９の開口１３０に共に配置されている。このため、２つの発光チップ４および５の配置が、図１４の配置と比較して短い距離で達成される。第２の発光チップ４は、緑色光を発するように構成されうる。第３の発光チップ５は、青色光を発するように構成されうる。選択する実施形態によっては、第２および第３の発光チップは、同じ波長の光も発しうる。また、第２および第３の発光チップは、緑色光または青色光とは異なる波長の光を発するようにも構成されうる。さらに、選択する実施形態によっては、２つを超える発光チップ、特に３つ以上の発光チップを共通の開口に配置することも可能である。例えば、１つの発光チップが緑色光を出射し、第２の発光チップが青色光を出射し、第３の発光チップが赤色光を出射しうる。絶縁層は、コンタクト領域の部分にのみ開口を有して、またはモジュール全領域にわたって配置されうる。
【００５４】
図１６は、図５のモジュールからの抜粋を示すが、この実施形態では、モジュールの伝導面が、絶縁層９９で覆われている。絶縁層９９は、開口１３０を有している。第１の発光チップ３は、絶縁層９９の開口１３０に配置されている。第２および第３の発光チップ４および５は、絶縁層９９のさらなる開口１３０に配置されている。選択する実施形態によっては、２つを超える発光チップ、特に３つ以上の発光チップを１つの開口に配置することも可能である。例えば、１つの発光チップが緑色光を出射し、第２の発光チップが青色光を出射し、第３の発光チップが赤色光を出射しうる。絶縁層は、コンタクト領域の部分にのみ開口を有して、またはモジュール全領域にわたって配置されうる。
【００５５】
図１７は、図５のモジュールからの抜粋を示すが、この実施形態では、モジュールの伝導面が、絶縁層９９で覆われている。絶縁層９９は、開口１３０を有している。第１の発光チップ３は、絶縁層９９の開口１３０に配置されている。第２の発光チップ４は、絶縁層９９の第２の開口１３０に配置されている。第３の発光チップ５は、絶縁層９９の第３の開口１３０に配置されている。絶縁層は、コンタクト領域の部分にのみ開口を有して、またはモジュール全領域にわたって配置されうる。
【００５６】
類似の方法で、図６のモジュールが開口１３０を有する絶縁層９９で覆われて、発光チップが開口１３０に配置されることも可能である。
【００５７】
好ましい例示的な実施形態に基づき本発明をより具体的に図示し、詳細に説明した。しかしながら、本発明は開示した例に限定されない。むしろ当業者であれば、開示した例に基づき本発明の保護範囲から逸脱することなく他の変形形態を得ることができる。
【００５８】
［関連出願］
本特許出願は、独国特許出願第１０２０１５１１９６５３．０号の優先権を主張するものであり、この文書の開示内容は参照により本明細書に援用される。
【符号の説明】
【００５９】
１  モジュール
２  画素
３  第１の発光チップ
４  第２の発光チップ
５  第３の発光チップ
１１  第１のアノード端子
１２  第２のアノード端子
１３  第１のカソード端子
１４  第２のカソード端子
１５  第３のアノード端子
１６  第３のカソード端子
２１  第１の電力線
２２  第２の電力線
２５  メッキ貫通孔
２６  第２のメッキ貫通孔
３１  第３の電力線
３２  第４の電力線
３３  第５の電力線
３４  第６の電力線
４０  ドライバ回路
４１  第１のマルチプレクサ
４２  第２のマルチプレクサ
４５  接着剤層
４６  導電層
５０  キャリア
５１  第１の列
５２  第２の列
５３  第３の列
６１  第１のメッキ貫通孔
６２  第２のメッキ貫通孔
６３  第３のメッキ貫通孔
７１  第１の接続線
７２  第２の接続線
７３  第３の接続線
８１  第１のコンタクト領域
８２  第２のコンタクト領域
８３  第３のコンタクト領域
９１  段差構造
９２  第１の絶縁ウェブ
９３  第２の絶縁ウェブ
９４  第３の絶縁ウェブ
９５  第４の絶縁ウェブ
９６  第５の絶縁ウェブ
９７  第６の絶縁ウェブ
９８  第７の絶縁ウェブ
９９  絶縁層
１００  フィルム
１１０  再分配導体路
１２０  アライメント構造
１３０  開口
【図１】
0006637171.tif 000002
【図２】
0006637171.tif 000003
【図３】
0006637171.tif 000004
【図４】
0006637171.tif 000005
【図５】
0006637171.tif 000006
【図６】
0006637171.tif 000007
【図７】
0006637171.tif 000008
【図８】
0006637171.tif 000009
【図９】
0006637171.tif 000010
【図１０】
0006637171.tif 000011
【図１１】
0006637171.tif 000012
【図１２】
0006637171.tif 000013
【図１３】
0006637171.tif 000014
【図１４】
0006637171.tif 000015
【図１５】
0006637171.tif 000016
【図１６】
0006637171.tif 000017
【図１７】
0006637171.tif 000018